(57)【要約】【課題】  装置全体の小型化及びコストの低廉化を図ることができる紙葉類処理装置を提供する。【解決手段】  紙幣収納庫３が、収容空間２ｂ及び搬送空間２ｃの並列方向と交差するような方向に紙幣Ｓを重ねた状態で収納可能な紙葉類収納ボックスによって形成されているため、紙幣収納庫３内から紙幣収納庫３外への紙幣Ｓの搬出が下方に行われ、紙幣搬送路形成用のスペースが縮小する。また、紙幣収納庫３内から紙幣収納庫３外に搬出される紙幣Ｓが他の紙幣Ｓの荷重を受けないため、従来のようには紙幣収納庫３内から紙幣収納庫３外への紙幣Ｓのローラ２３Ａ，２３Ｂによる搬出に大きな駆動力が必要ない。【選択図】        図３
2006039949.tif 000002
【特許請求の範囲】
【請求項１】
上下方向に並列する収容空間及び搬送空間を内部に有する装置本体と、
前記装置本体の収容空間に配設され、前記搬送空間に連通する搬出口を有する紙葉類収納庫とを備えた紙葉類処理装置であって、
前記紙葉類収納庫は、前記収容空間及び前記搬送空間の並列方向と交差するような方向に紙葉類を重ねた状態で収納可能な紙葉類収納ボックスによって形成されていることを特徴とする紙葉類処理装置。
【請求項２】
前記紙葉類収納庫内の紙葉類非収納位置と紙葉類満杯位置との間を移動し、前記紙葉類を紙葉類満杯位置から紙葉類非収納位置に向かって押圧する押え部材と、
前記押え部材を前記紙葉類の押圧方向に常時付勢する付勢手段とをさらに備え、
前記付勢手段は、両端部がそれぞれ前記押え部材と前記紙葉類収納庫に係止され、かつ前記押え部材の紙葉類非収納位置から前記紙葉類満杯位置への移動に応じて付勢力が漸次大きくなるような状態で滑車に掛け渡されていることを特徴とする請求項１記載の紙葉類処理装置。
【請求項３】
前記押え部材の移動によって回動し、前記紙葉類収納庫内における前記紙葉類の収納量を表示するための指針部材をさらに備えたことを特徴とする請求項２記載の紙葉類処理装置。
【請求項４】
前記指針部材は、前記紙葉類収納庫内の前記紙葉類満杯位置側から紙葉類非収納位置近傍への前記押え部材の移動によって回動量を急変させるような枢支部材によって形成されていることを特徴とする請求項３記載の紙葉類処理装置。
【請求項５】
前記紙葉類収納庫は、前記収容空間に収容・非収容可能に配設され、前記搬出口からの紙葉類の飛び出しを防止するためのフラッパをさらに有し、
前記フラッパは、前記収容空間に対する前記紙葉類収納庫の収容・非収容によって前記搬出口を開閉するような枢支部材によって形成されていることを特徴とする請求項１〜４のいずれか１項に記載の紙葉類処理装置。
【請求項６】
前記紙葉類収納庫の側壁には、前記紙葉類の上方への移動を規制する移動規制片が突設され、
前記移動規制片における前記紙葉類非収納位置の側端部の幅方向寸法は前記紙葉類満杯位置の側端部の幅方向寸法より小さい寸法に設定されていることを特徴とする請求項１〜５のいずれか１項に記載の紙葉類処理装置。
【請求項７】
前記装置本体内に挿抜自在に装着され、前記紙葉類収納庫を保持して前記装置本体の内外で案内する保持機構をさらに備えたことを特徴とする請求項１〜６のいずれか１項に記載の紙葉類処理装置。
【請求項８】
前記保持機構は、前記紙葉類収納庫を案内する第１保持部材及び前記紙葉類収納庫を保持する第２保持部材を有し、
前記第２保持部材は、前記第１保持部材に対し下側に回動して傾斜した状態で停止する枢支部材によって形成されていることを特徴とする請求項７記載の紙葉類処理装置。
【請求項９】
前記紙葉類収納庫を前記第２保持部材に着脱自在に保持するための着脱機構をさらに備え、
前記着脱機構は、前記紙葉類収納庫を前記第２保持部材に係止するための２つの係止部材を有し、
前記２つの係止部材のうち一方の係止部材は前記第２保持部材の挿入側端縁に係止され、他方の係止部材はスライド部材を介して前記第２保持部材の引き抜き側端部に係止されていることを特徴とする請求項８記載の紙葉類処理装置。
【請求項１０】
前記紙葉類収納庫は、前記保持部材の引き抜き方向に突出する把手をさらに有することを特徴とする請求項７〜９のいずれか１項に記載の紙葉類処理装置。
【発明の詳細な説明】
【技術分野】
【０００１】
本発明は、例えば紙幣払い出し装置に使用して好適な紙葉類処理装置に関する。
【背景技術】
【０００２】
従来、紙葉類処理装置としての紙幣払い出し装置に、紙幣を上下方向に重積した状態で収納する紙幣収納庫を備えたものが提案されている（例えば、特許文献１参照。）。
【０００３】
このような特許文献１の紙葉類処理装置においては、紙幣収納庫内に重積した状態で収納された紙幣のうち最下方の紙幣から一枚ずつ紙幣収納庫外に紙幣払い出し口を介して搬出される。これら紙幣の紙幣払い出し口からの払い出しは、紙幣収納庫内の紙幣をまず横（紙幣の面）方向に、次いで下方に、しかる後再び横方向にそれぞれ搬送することにより行われる。
【０００４】
このため、特許文献１における紙幣収納庫と紙幣払い出し口とを結ぶ紙幣搬送路は、２つの略水平な横方向搬送路（第１搬送路と第２搬送路）及びこの２つの横方向搬送路に略垂直な縦方向搬送路（第３搬送路）によって形成されることとなる。
【特許文献１】特開２００３−３２１１５４号公報
【発明の開示】
【発明が解決しようとする課題】
【０００５】
しかし、特許文献１の紙葉類処理装置によると、次に示すような問題がある。
（１）装置本体内に第１〜第３搬送路を形成する構造であるため、搬送路形成用のスペースが広くなり、装置全体が大型化する。
（２）紙幣が上下方向に重積した状態で収納されるものであるため、紙幣の収納量（収納枚数）が多くなると、それだけ下方の紙幣が上方の紙幣全体の荷重を受け、紙幣収納庫内に収納された紙幣の紙幣収納庫外へのローラ等による送り出しに大きな駆動力を必要としていた。この結果、近年における紙幣払い出しの高速化に応じるためには、ローラ駆動用のモータが大型化し、いきおいその駆動力伝達機構も剛性の高い機構となり、コストが嵩む。
【０００６】
従って、本発明の目的は、装置全体の小型化及びコストの低廉化を図ることができる紙葉類処理装置を提供することにある。
【課題を解決するための手段】
【０００７】
本発明は、上記の目的を達成するため、上下方向に並列する収容空間及び搬送空間を内部に有する装置本体と、前記装置本体の収容空間に配設され、前記搬送空間に連通する搬出口を有する紙葉類収納庫とを備えた紙葉類処理装置であって、前記紙葉類収納庫は、前記収容空間及び前記搬送空間の並列方向と交差するような方向に紙葉類を重ねた状態で収納可能な紙葉類収納ボックスによって形成されていることを特徴とする紙葉類処理装置を提供する。
【発明の効果】
【０００８】
本発明によれば、紙葉類収納庫を、収容空間及び搬送空間の並列方向と交差するような方向に紙葉類を重ねた状態で収納可能な紙葉類収納ボックスによって形成することにより、装置全体の小型化及びコストの低廉化を図ることができる。
【発明を実施するための最良の形態】
【０００９】
以下、本発明の実施の形態について図面を基に説明する。
（紙幣払い出し装置の構成）
図１は、本発明の実施の形態に係る紙葉類処理装置としての紙幣払い出し装置の外観を示す斜視図である。図２は、本発明の実施の形態に係る紙葉類処理装置としての紙幣払い出し装置における紙幣収納庫の引き出し状態を示す斜視図である。図３は、本発明の実施の形態に係る紙葉類処理装置としての紙幣払い出し装置の内部構造を示す側面図である。
【００１０】
図１〜図３において、符号１で示す紙幣払い出し装置は、装置筐体としての装置本体２と、紙幣Ｓを収納するための紙幣収納庫３と、この紙幣収納庫３を保持するための保持機構４と、この保持機構４によって保持された紙幣収納庫３を着脱するための着脱機構５と、紙幣収納庫３から装置本体２の紙幣払い出し口２ａに向かって搬送するための紙幣搬送機構６と、装置本体２内の紙幣Ｓを紙幣払い出し口２ａに向かって送り出すための紙幣送り出し機構７と、装置本体２外への紙幣Ｓの払い出し及びその払い出しの阻止を実行するためのゲートを開閉するゲート開閉機構８とによって大略構成されている。
【００１１】
（装置本体２の構成）
装置本体２は、上下方向に並列する収容空間２ｂ及び搬送空間２ｃを内部に有し、全体が略四角形状の箱体によって形成されている。収容空間２ｂは搬送空間２ｃの上方に配置されている。搬送空間２ｃには、紙幣収納庫３の紙幣搬出口（後述）に連通する第１搬送路２Ａ及びこの第１搬送路２Ａと紙幣払い出し口２ａとを結ぶ第２搬送路２Ｂが形成されている。
【００１２】
装置本体２の前面部上側には、収容空間２ｂに連通し、かつ前方上斜め・後方下斜め方向（収容空間２ｂ及び搬送空間２ｃの並列方向と交差するような方向）に開口する収納庫挿抜口２ｄが配設されている。装置本体２の前面部下側には、搬送空間２ｃに連通し、かつ前後（図３では左右）方向に開口する紙幣払い出し口２ａが配設されている。装置本体２の左右両側壁部上側には、フラッパ（後述）を案内するためのカム溝（図示せず）が配設されている。装置本体２の収容空間２ｂには、前後方向に沿って並列する複数の押さえ部材位置検出用センサ（図示せず）が配設されている。装置本体２の底部には、搬送空間２ｃ（ゲート開閉機構６）の下方に位置する紙幣保留部２ｅが配設されている。
【００１３】
（紙幣収納庫３の構成）
図４は、本発明の実施の形態に係る紙葉類処理装置としての紙幣払い出し装置における紙幣収納庫の外観を示す斜視図である。図５は、本発明の実施の形態に係る紙葉類処理装置としての紙幣払い出し装置における紙幣押え部材の動作を説明するために示す図である。図５（ａ）は、紙幣非収納位置における紙幣押さえ部材を示す側面図である。図５（ｂ）は、紙幣非収納位置と紙幣満杯位置との間における押さえ部材を示す側面図である。
【００１４】
紙幣収納庫３は、図４に示すように、搬送空間２ｃに連通する紙幣搬出口３ａ及び装置本体２に対する施錠部３ｂを有し、紙幣払い出し口２ａの開口方向（前方上斜め・後方下斜め方向）に紙幣Ｓを重ねた状態で収納可能な紙幣収納ボックスによって形成されている。そして、収容空間２ｂに保持機構４（図３に示す）を介して収容・非収容可能（装置本体２の内外で挿抜可能）に配設されている。
【００１５】
紙幣収納庫３の前面部には、収納庫引き抜き方向に突出する把手９（図１及び図２に示す）および鍵部３Ａが配設されている。紙幣収納庫の両側壁上方端縁には、図４に示すように、紙幣Ｓの上方への移動を規制する移動規制片１０が突設されている。紙幣収納庫３の両側壁前方端部にはスプリング係止ピン１１（一方のみ図示）が配設され、後方端部には滑車１２が配設されている。紙幣収納庫３内には、紙幣満杯位置ａから紙幣非収納位置ｂに向かって押圧する押え部材１３が進退自在に配設されている。紙幣収納庫３の底部には、左右方向（紙幣収納庫３の幅方向）に互いに並列し、かつ紙幣搬出口３ａからの紙幣Ｓの飛び出しを防止するためのフラッパ１４（図３に示す）が回動自在に配設されている。
【００１６】
移動規制片１０は、図４に示すように、紙幣非収納位置側端部１０ａの幅方向寸法が紙幣満杯位置側端部１０ｂの幅方向寸法より小さい寸法に設定されている。これにより、紙幣収納庫３における上方開口部の紙幣非収納位置側が紙幣満杯位置側より大きくなるため、紙幣収納庫３に対する紙幣Ｓの収納が紙幣非収納位置ｂ付近から行われる。
【００１７】
押え部材１３は、図３及び図４に示すように、付勢手段としての引張スプリング１５によって紙幣Ｓの押圧方向に常時付勢され、全体が幅広の四角形板によって形成されている。そして、紙幣非収納位置ｂと紙幣満杯位置ａとの間を移動し得るように構成されている。
【００１８】
押え部材１３の両側面部には、紙幣収納庫３のスプリング係止ピン１１に対応するスプリング係止ピン１６が配設されている。また、押え部材１３の片側面部には位置識別片１７が配設されている。そして、複数の押さえ部材位置検出用センサによる位置識別片１７の検出によって押え部材１３の移動位置が検出され、この検出結果に基づいて紙幣収納庫３内における紙幣Ｓの収納量（収納枚数）が照明ランプ等により電気的に表示されるように構成されている。
【００１９】
引張スプリング１５は、図３及び図４に示すように、スプリング両端部がそれぞれスプリング係止ピン１１，１６に係止され、かつ押え部材１３の紙幣非収納位置ｂから紙幣満杯位置ａへの移動に応じて付勢力が漸次大きくなるような状態で滑車１２に掛け渡されている。これにより、引張スプリング１５による付勢力は、例えば押さえ部材１３が図５（ａ）に示すように紙幣満杯位置ａと紙幣非収納位置ｂとの間に配置されている場合には図５（ｂ）に示すように紙幣非収納位置ｂに配置されている場合と比べて大きくなり、また紙幣満杯位置ａに配置されている場合と比べて小さくなる。
【００２０】
なお、本実施形態では付勢手段として引張スプリング１５である場合について説明したが、弾性ゴムを用いてもよい。
【００２１】
フラッパ１４は、図３に示すように、装置本体２のカム溝に嵌合可能なローラ１４Ａを有し、収容空間２ｂに対する紙幣収納庫３の収容・非収容によって紙幣搬出口３ａ（図４に示す）を開閉するような枢支部材によって形成されている。これにより、収容空間２ｂに対する紙幣収納庫３の収容状態においてはフラッパ１４が順方向（図３では反時計回り）に回動して紙幣搬出口３ａを開放し、また非収容状態においてはフラッパ１４が逆方向（図３では時計回り）に回動して紙幣搬出口３ａを閉塞することになる。なお、フラッパ１４は、紙幣搬出口３ａを閉塞するような方向に復帰用の引張スプリング（図示せず）によって常時付勢されている。
【００２２】
（保持機構４の構成）
図６は、本発明の実施の形態に係る紙葉類処理装置としての紙幣払い出し装置における保持機構を説明するために示す側面図である。
【００２３】
保持機構４は、図６に示すように、第１保持部材４Ａ及び第２保持部材４Ｂを有し、装置本体２内に挿抜自在に装着されている。そして、紙幣収納庫３を保持して装置本体２の内外で案内するように構成されている。
【００２４】
第１保持部材４Ａは、図６に実線で示すように、収納庫挿抜口２ｄの開口方向に沿って延在する挿抜部材からなり、装置本体２内の両側壁部に進退自在に配設されている。そして、第１保持部材４Ａの進退方向に紙幣収納庫３を案内するように構成されている。
【００２５】
第２保持部材４Ｂは、第１保持部材４Ａに回動自在に枢支されている。そして、図６に２点鎖線で示すように、紙幣収納庫３を保持し、かつ第１保持部材４Ａに対し下側に回動して傾斜した状態で停止するように構成されている。
【００２６】
装置本体２内の紙幣収納庫３を装置本体２外に配置するには、鍵部３Ａを解錠し、図６に実線で示すように把手９を把持して保持機構４を引き抜いた後、図６に２点鎖線で示すように第２保持部材４Ｂを第１保持部材４Ａに対し下側に回動させる。一方、装置本体２外の紙幣収納庫３を装置本体２内に配置するには、図６に２点鎖線で示す位置にある紙幣収納庫３の把手９を把持して第２保持部材４Ｂを第１保持部材４Ａに対し図６に実線で示すように上側に回動させた後、保持機構４を装置本体２内に挿入する。
【００２７】
（着脱機構５の構成）
図７は、本発明の実施の形態に係る紙葉類処理装置としての紙幣払い出し装置の着脱機構を示す斜視図である。図８は、本発明の実施の形態に係る紙葉類処理装置としての紙幣払い出し装置における着脱機構の操作（１）を説明するために示す図である。図８（ａ）は、操作（１）の開始直後の状態を示す側面図である。図８（ｂ）は、図８（ａ）のＡ矢視図である。なお、係止部材１９と係止孔２１の係止部分については部分断面で示している。図９は、本発明の実施の形態に係る紙葉類処理装置としての紙幣払い出し装置における着脱機構の操作（２）を説明するために示す図である。図９（ａ）は、操作（２）の開始直後の状態を示す側面図である。図９（ｂ）は、図９（ａ）のＢ矢視図である。
【００２８】
着脱機構５は、図７に示すように、第２保持部材４Ｂに係止するための２つの係止部材１８，１９を有し、保持機構４（第２保持部材４Ｂ）と紙幣収納庫３との間に介装されている。そして、第２保持部材４Ｂに紙幣収納庫３を係止して保持機構４に装着するように、また第２保持部材４Ｂに対する紙幣収納庫３の係止状態を解除して第２保持部材４Ｂから離脱するようにそれぞれ構成されている。
【００２９】
一方の係止部材１８は、鉤形状の係止爪からなり、紙幣収納庫３の底面の後方端部に配設されている。そして、第２保持部材４Ｂの挿入側端縁に係止し得るにように構成されている。
【００３０】
他方の係止部材１９は、円柱状の基部１９ａ及び截頭円錐形状の係止部１９ｂ（図８及び図９に示す）からなり、紙幣収納庫３の底面の前方端部に配設されている。そして、第２保持部材４Ｂの引き抜き側端部にスライド部材２０を介して係止し得るように構成されている。
【００３１】
スライド部材２０は、丸孔部２１ａ及び長孔部２１ｂからなる係止孔２１（図９及び図９に示す）を有し、第２保持部材４Ｂの裏面にビス２０Ａによって２位置間を図７の矢印ｍ，ｎ方向に進退自在にビス止めされている。丸孔部２１ａの内径は、基部１９ａ及び係止部１９ｂの外径（最大外径）より大きい寸法に設定されている。長孔部２１ｂの幅寸法は、基部１９ａの外径より大きい寸法に、また係止部１９ｂの外径（最大外径）より小さい寸法にそれぞれ設定されている。そして、スライド部材２０は、復帰用の引張スプリング２２によって退避する方向（図７の矢印ｎ方向）に常時付勢されている。
【００３２】
これにより、保持機構４（第２保持部材４Ａ）から紙幣収納庫３を離脱させるには、図８（ａ）及び（ｂ）の矢印ｍ方向にスライド部材２０を引張スプリング２２の弾性力に抗して進行させ、次いで紙幣収納庫３を図８（ａ）及び（ｂ）の矢印ｎ方向に進行させて第２保持部材４Ａに対する両係止部材１８，１９の係止状態を図９（ａ）及び（ｂ）に示すように解除し、しかる後この状態から係止部材１８をスライド部材２０の係止孔２１（丸孔部２１ａ）から引き抜く。
【００３３】
一方、保持機構４（第２保持部材４Ｂ）に紙幣収納庫３を装着するには、図９（ａ）及び（ｂ）に示すように係止部材１９をスライド部材２０の係止孔２１（丸孔部２１ａ）に挿入して長孔部２１ｂに係止した後、紙幣収納庫３を図８（ａ）及び（ｂ）の矢印ｍ方向に進行させて第２保持部材４Ａに係止部材１８を係止する。この場合、係止部材１９が丸孔部２１ａに挿入されると、丸孔部２１ａ（開口周縁）への係止部１９ｂの当接によってスライド部材２０が図８（ａ）及び（ｂ）の矢印ｍ方向に引張スプリング２２の弾撥力に抗して進行するため、係止部材１９の丸孔部２１ａへの挿入が円滑に行われる。また、係止部材１９の丸孔部２１ａへの挿入が行われると、引張スプリング２２の弾撥力によってスライド部材２０が図８（ａ）及び（ｂ）の矢印ｎ方向に弾性復帰するため、係止部材１９の長孔部２１ｂへの係止が円滑に行われる。
【００３４】
（紙幣搬送機構６の構成）
紙幣搬送機構６は、図３に示すように、第１搬送ローラ２３〜第３搬送ローラ２５を有し、装置本体２内に配設されている。そして、紙幣収納庫３内の紙幣Ｓを搬送空間２ｃに搬送するように構成されている。
【００３５】
第１搬送ローラ２３は、上下方向に並列する大小２つのローラ２３Ａ，２３Ｂからなり、収納空間２ｂに回転自在に配設され、かつ駆動モータ２６に第１駆動力伝達機構（図示せず）を介して連結されている。そして、紙幣収納庫３内の紙幣Ｓを紙幣搬出口３ａから第１搬送路２Ａに搬出するように構成されている。
【００３６】
第２搬送ローラ２４は、前後方向に並列する分離ローラ２４Ａ及び停止ローラ２４Ｂからなり、第１搬送ローラ２３及び紙幣収納庫３の下方に回転自在に配設されている。分離ローラ２４Ａは、駆動モータ２６に第２駆動力伝達機構（図示せず）を介して連結され、第１搬送路２Ａから第２搬送路２Ｂに向かって紙幣Ｓを搬送するように構成されている。停止ローラ２４Ｂは、分離ローラ２４Ａの近傍に隣接して配置され、摩擦によって紙幣Ｓに制動力を付与して第２搬送ローラ２４による紙幣Ｓの２枚搬送を阻止するように構成されている。
【００３７】
第３搬送ローラ２５は、羽根付きローラからなり、第２搬送ローラ２４の下方に回転自在に配設され、かつ駆動モータ２７に第３駆動力伝達機構（図示せず）を介して連結されている。そして、第１搬送路２Ａから第２搬送路２Ｂへの搬送転換を確実に実行し得るように構成されている。なお、第１搬送路２Ａから第２搬送路２Ｂに搬送される紙幣Ｓの真偽・枚数等の判別は、第３搬送ローラ２５による搬送前に判別センサ（図示せず）によって行われる。
【００３８】
（紙幣送り出し機構７の構成）
図１０は、本発明の実施の形態に係る紙葉類処理装置としての紙幣払い出し装置の紙幣送り出し機構を示す斜視図である。図１１は、本発明の実施の形態に係る紙葉類処理装置としての紙幣払い出し装置の紙幣送り出し機構の伸縮動作を説明するために示す斜視図である。図１１（ａ）は、紙幣送り出し機構の収縮状態を示す斜視図である。図１１（ｂ）は、紙幣送り出し機構の伸長状態を示す斜視図である。
【００３９】
紙幣送り出し機構７は、図１０に示すように、互いに隣接する前後２つのリンク機構２８，２９及びこれら両リンク機構２８，２９の駆動によって進退するスライダ３０を有する平行リンク機構からなり、装置本体２（図３に示す）内に長孔３１ａ（図１１（ｂ）に示す）付きのフレーム３１を介して配設され、かつ駆動モータ３２に第４駆動力伝達機構３３を介して連結されている。そして、第３搬送ローラ２５とゲート開閉機構８との間を第２搬送路２Ｂ（全て図３に示す）に沿って伸縮し得るように構成されている。
【００４０】
前方のリンク機構２８は、互いに交差する２つのリンク２８Ａ，２８Ｂからなり、フレーム３１の紙幣払い出し口側に配設されている。リンク２８Ａはスライダ３０に枢支ピン３４を介して揺動自在に連結されている。リンク２８Ｂはリンク２８Ａに枢支ピン３５を介して揺動自在に連結されている。リンク２７Ｂには、下方に突出する移動ピン３６が配設されている。
【００４１】
後方のリンク機構２９は、互いに交差する２つのリンク２９Ａ，２９Ｂからなり、フレーム３１の第３搬送ローラ側に配設され、かつ前方のリンク機構２８に連結されている。リンク２９Ａは、リンク２８Ａに平行し、リンク２８Ｂに枢支ピン３７を介して揺動自在に連結されている。リンク２９Ａには、長孔３１ａ内に嵌合する移動ピン３８ａを有する折曲部３８が一体に設けられている。リンク２９Ｂは、リンク２８Ｂに平行し、リンク２９Ａに枢支ピン３９を介して揺動自在に連結されている。また、リンク２９Ｂは、リンク２８Ａに枢支ピン４０を介して揺動自在に連結されている。リンク２９Ｂには、長孔４１ａを有する延在部４１が突設されている。
【００４２】
スライダ３０は、前方のリンク機構２８の両リンク２８Ａ，２８Ｂに枢支ピン３４及び移動ピン３６を介して揺動自在に連結されている。スライダ３０には、左右方向（スライダ３０の進退方向と直角な方向）に並列し、かつ上方に突出する２つの紙幣送り出し部材３０Ａ，３０Ｂが配設されている。そして、第２搬送路２Ｂ内に紙幣Ｓがある場合には、この紙幣Ｓを紙幣払い出し口２ａに向かって送り出すように構成されている。また、スライダ３０には、移動ピン３６が嵌合する長孔３０ａが配設されている。
【００４３】
第４駆動力伝達機構３３は、偏心ピン４１ａを上面に有する平歯車４１を含む歯車伝達機構からなり、駆動モータ３２及び紙幣送り出し機構７（リンク機構２９）に連結されている。そして、駆動モータ４２の駆動力を紙幣送り出し機構７に伝達するように構成されている。偏心ピン４１ａは、平歯車４１の偏心位置に配置され、かつ長孔４０ａに嵌合されている。
【００４４】
これにより、紙幣送り出し機構７を伸長させるには、駆動モータ３２を反時計方向に回転駆動することにより行われる。すなわち、駆動モータ３２を反時計方向に半回転駆動すると、この駆動力が第４駆動力伝達機構３３を介して紙幣送り出し機構７に伝達されるため、図１１（ａ）に示す状態の紙幣送り出し機構７が図１１（ｂ）に示すように伸長する。
【００４５】
一方、紙幣送り出し機構７を収縮させるには、駆動モータ３２を反時計方向に更に回転駆動することにより行われる。すなわち、駆動モータ３２を反時計方向に更に半回転駆動すると、この駆動力が第４駆動力伝達機構３３を介して紙幣送り出し機構７に伝達されるため、図１１（ｂ）に示す状態の紙幣送り出し機構７が図１１（ａ）に示すように収縮する。
【００４６】
（ゲート開閉機構８の構成）
ゲート開閉機構８は、図３に示すように、ソレノイド（図示せず）によって互いに独立して回動する第１ゲート部材８Ａ及び第２ゲート部材８Ｂを有し、搬送空間２ｃに配設されている。
【００４７】
第１ゲート部材８Ａは、第２搬送路２Ｂの上方で回動する枢支部材からなり、紙幣保留部２ｅの第３搬送ローラ側に配設されている。そして、第２搬送路２Ｂを開閉するように構成されている。この場合、第１ゲート部材８Ａが図３に実線で示すように第２搬送路２Ｂを閉塞すると、紙幣送り出し機構７による紙幣払い出し口２ａ及び紙幣保留部２ｅへの紙幣Ｓの送り出しが阻止される。一方、第１ゲート部材８Ａが図３に２点鎖線で示すように第２搬送路２Ｂを開放すると、紙幣払い出し口２ａ又は紙幣保留部２ｅへの紙幣Ｓの送り出しが実行される。
【００４８】
なお、紙幣Ｓの紙幣払い出し口２ａへの送り出しは紙幣Ｓが所定枚数の真札である場合に行われ、紙幣Ｓの紙幣保留部２ｅへの送り出しは所定枚数でない真札又は偽札である場合に行われる。
【００４９】
第２ゲート部材８Ｂは、紙幣保留部２ｅの上方で回動し、かつ第２搬送路２Ｂの一部を形成可能な枢支部材からなり、紙幣払い出し口２ａの近傍に配設されている。そして、紙幣保留部２ｅを開閉するように構成されている。この場合、第１ゲート部材８Ａによる第２搬送路２Ｂの開放状態において、第２ゲート部材８Ｂが図３に実線で示すように紙幣保留部２ｅを開放すると、紙幣送り出し機構７による紙幣保留部２ｅへの紙幣Ｓの送り出しが実行される。一方、同じく第１ゲート部材８Ａによる第２搬送路２Ｂの開放状態において、第２ゲート部材８Ｂが図３に２点鎖線で示すように紙幣保留部２ｅを閉塞すると、紙幣送り出し機構７による紙幣払い出し口２ａへの送り出しが実行される。
【００５０】
（実施の形態の効果）
以上説明した実施の形態によると、次の（１）〜（９）に示す効果が得られる。
（１）紙幣収納庫３が、収容空間２ｂ及び搬送空間２ｃの並列方向と交差するような方向に紙幣Ｓを重ねた状態で収納可能な紙葉類収納ボックスによって形成されているため、紙幣収納庫３内から紙幣収納庫３外への紙幣Ｓの搬出が下方に行われる。このため、紙幣収納庫３から装置本体２外に紙幣Ｓを搬送するための搬送路としては、紙幣収納庫３の下方に延在する第１搬送路２Ａ及びこの第１搬送路２Ａに略直角な方向に延在する第２搬送路２Ｂによって形成すればよく、それだけ紙幣搬送路形成用のスペースを縮小させることができ、装置全体の小型化を図ることができる。
【００５１】
（２）紙幣収納庫３内から紙幣収納庫３外に搬出される紙幣Ｓが他の紙幣Ｓの荷重を受けないため、従来のようには紙幣収納庫３内から紙幣収納庫３外への紙幣Ｓのローラ２３Ａ，２３Ｂによる搬出に大きな駆動力が必要ない。このため、ローラ２３Ａ，２３Ｂの駆動に小型の駆動モータ２６及び低剛性の駆動力伝達機構を用いることができ、コストの低廉化を図ることができる。
【００５２】
（３）紙幣Ｓを紙幣満杯位置ａから紙幣非収納位置ｂに向かって押圧する押え部材１３が引張スプリング１５によって常時付勢されているため、紙幣収納庫３内の紙幣Ｓが押え部材１３によって紙幣満杯位置ａから紙幣非収納位置ｂに常時付勢される。この場合、引張スプリング１５は、押え部材１３と紙幣収納庫３に係止され、かつ押え部材１３の紙幣非収納位置ｂから紙幣満杯位置ａへの移動に応じてその付勢力が漸次大きくなるような状態で滑車１２に掛け渡されているため、紙幣収納庫３内の紙幣Ｓが少数であっても、比較的大きな付勢力が押え部材１３を介して紙幣Ｓに作用することとなり、紙幣収納庫３における紙幣Ｓの良好な収納性を得ることができる。
【００５３】
（４）紙幣搬出口３ａからの紙幣Ｓの飛び出しを防止するためのフラッパ１４が、収容空間２ｂに対する紙幣収納庫３の収容・非収容によって紙幣搬出口３ａを開閉するような枢支部材によって形成されているため、収容空間２ｂに対する紙幣収納庫３の収容状態においてはフラッパ１４によって紙幣搬出口３ａが開放され、紙幣搬出口３ａから搬送空間２ｃへの紙幣Ｓの搬出を円滑に行うことができる。一方、紙幣収納庫３の非収容状態においてフラッパ１４によって紙幣搬出口３ａが閉塞され、紙幣ｓの紙幣収納庫３外への落下を防止することができる。
【００５４】
（５）紙幣Ｓの上方への移動を規制する移動規制片１０における紙幣非収納位置側端部１０ａの幅方向寸法が、紙幣満杯位置側端部１０ｂの幅方向寸法より小さい寸法に設定されているため、紙幣収納庫３における開口幅の紙幣非収納位置側部が紙幣満杯位置側部より大きくなり、紙幣収納庫３に対する紙幣Ｓの収納を上方開口部の紙幣非収納位置側部から確実に行うことができる。
【００５５】
（６）紙幣収納庫３を保持して装置本体２の内外で案内する保持機構４が装置本体２内に挿抜自在に装着されているため、保持機構４の挿抜による紙幣収納庫３の案内によって紙幣収納庫３が装置本体２の内外に配置される。このため、保持機構４に対して紙幣収納庫３を保持したままその内部が視認され、紙幣収納庫３に対する紙幣Ｓの収納・補充作業及び紙幣収納庫３からの紙幣Ｓの回収作業を簡単に行うことができる。
【００５６】
（７）紙幣収納庫３を保持する第２保持部材４Ｂが、第１保持部材４Ａに対し下側に回動して傾斜した状態で停止する構成であるため、紙幣収納庫３が装置本体２外で下側に傾斜した状態に配置される。このため、紙幣収納庫３の内部が視認し易くなり、紙幣収納庫３に対する紙幣Ｓの収納・補充作業及び紙幣収納庫３からの紙幣Ｓの回収作業を一層簡単に行うことができる。
【００５７】
（８）係止部材１８が第２保持部材４Ｂの挿入側端縁に係止部材１８を係止され、係止部材１９が第２保持部材４Ｂの引き抜き側端部にスライド部材２０を介して係止されているため、保持機構４に紙幣収納庫３を装着するにはスライド部材２０を移動させて係止部材１９を第２保持部材４Ｂの引き抜き側端部に係止し、係止部材１８を第２保持部材４Ｂに係止することにより行われ、一方保持機構４から紙幣収納庫３を離脱させるには第２保持部材４Ｂに対する係止部材１８の係止状態を解除し、スライド部材２０を移動させて第２保持部材４Ｂに対する係止部材１９の係止状態を解除することにより行われる。このため、保持機構４に対する紙幣収納庫３の着脱を簡単かつ確実に行うことができる。また、紙幣収納庫３が保持機構４から離脱可能であることは、紙幣収納庫３に対する紙幣３の収納・補充及び紙幣収納庫３からの紙幣Ｓの回収を紙幣収納庫単位で行うことや、紙幣払い出し装置１の設置場所以外の場所において紙幣管理を行うことが可能となり、紙幣管理がし易くなる。
【００５８】
（９）紙幣収納庫３が保持機構４の引き抜き方向に突出する把手９を有するため、紙幣収納庫３を装置本体２の内外に挿抜する場合には鍵部３Ａを解錠し、把手９を把持することにより行われ、紙幣収納庫３の挿抜時における良好な作業性を得ることができる。なお、例えば紙幣収納庫３を保持機構４から離脱させて運搬する場合には紙幣収納庫３の挿抜作業と同様に把手９を把持することにより行われ、紙幣収納庫３の運搬時における良好な作業性を得ることができる。
【００５９】
（実施の形態の変形例）
なお、上記実施の形態に基づいて本発明の紙葉類処理装置を説明したが、本発明は上記実施の形態に限定されるものではなく、その要旨を逸脱しない範囲において種々の態様において実施することができ、例えば次の（１）〜（３）に示すような変形も可能である。
【００６０】
（１）上記した紙葉類処理装置は紙幣払い出し装置１である場合について説明したが、本発明はこれに限定されず、金券，商品券の払い出し装置やコンサート入場券等のチケットの払い出し装置であってもよく、またこれら各払い出し装置を含む紙葉類入出装置であってもよい。すなわち要するに、紙葉類を処理する紙葉類処理装置であれば、本実施の形態と同様の効果を得ることができる。
【００６１】
（２）上記紙幣払い出し装置１は、装置本体２内の上方に収容空間２Ｂが、またその下方に搬送空間２ｃがそれぞれ形成される場合について説明したが、本発明はこれに限定されず、装置本体２内の上方に搬送空間が、またその下方に収容空間がそれぞれ形成される紙幣払い出し装置であっても勿論よい。
【００６２】
（３）上記紙幣払い出し装置１は、紙幣収納庫３内における紙幣Ｓの収納量（収納枚数）が照明ランプ等により電気的に表示される場合について説明したが、本発明はこれに限定されず、図１２に示すように押え部材１３（スプリング係止ピン１１）の移動によって回動する指針部材５１を装置本体２内に配設し、この指針部材５１によって紙幣収納庫３内における紙幣Ｓの収納量を機械的に表示しても何等差し支えない。この場合、指針部材５１は、例えば紙幣収納庫３のスプリング係止ピン１１に対する当接面５２を、互いに異なる勾配をもつ傾斜面５２ａ，５２ｂとすることにより、紙幣収納庫３内の紙幣満杯位置側から紙幣非収納位置近傍への押え部材１３の移動によって回動量を急変させるような枢支部材で形成すると、指針部材５１の回動量の急変によって紙幣収納庫３に対する紙幣Ｓの補充時を通知することができ、その補充タイミングを逸することがない。
【図面の簡単な説明】
【００６３】
【図１】本発明の実施の形態に係る紙葉類処理装置としての紙幣払い出し装置の外観を示す斜視図。
【図２】本発明の実施の形態に係る紙葉類処理装置としての紙幣払い出し装置における紙幣収納庫の引き出し状態を示す斜視図。
【図３】本発明の実施の形態に係る紙葉類処理装置としての紙幣払い出し装置の内部構造を示す側面図。
【図４】本発明の実施の形態に係る紙葉類処理装置としての紙幣払い出し装置における紙幣収納庫の外観を示す斜視図。
【図５】本発明の実施の形態に係る紙葉類処理装置としての紙幣払い出し装置における紙幣押え部材の動作を説明するために示す図。
【図６】本発明の実施の形態に係る紙葉類処理装置としての紙幣払い出し装置における保持機構を説明するために示す側面図。
【図７】本発明の実施の形態に係る紙葉類処理装置としての紙幣払い出し装置の着脱機構を示す斜視図。
【図８】本発明の実施の形態に係る紙葉類処理装置としての紙幣払い出し装置における着脱機構の操作（１）を説明するために示す図。
【図９】本発明の実施の形態に係る紙葉類処理装置としての紙幣払い出し装置における着脱機構の操作（２）を説明するために示す図。
【図１０】本発明の実施の形態に係る紙葉類処理装置としての紙幣払い出し装置の紙幣送り出し機構を示す斜視図。
【図１１】本発明の実施の形態に係る紙葉類処理装置としての紙幣払い出し装置の紙幣送り出し機構の伸縮動作を説明するために示す斜視図。
【図１２】本発明の実施の形態に係る紙葉類処理装置としての他の紙幣払い出し装置における紙幣収容量を表示するための指針部材を説明するために示す側面図。
【符号の説明】
【００６４】
１…紙幣処理装置、２…装置本体、２Ａ…第１搬送路、２Ｂ…第２搬送路、２ａ…紙幣払い出し口、２ｂ…収容空間、２ｃ…搬送空間、２ｄ…収納庫挿抜口、２ｅ…紙幣保留部、３…紙幣収納庫、３Ａ…鍵部、３ａ…紙幣搬出口、３ｂ…施錠部、４…保持機構、４Ａ…第１保持部材、４Ｂ…第２保持部材、５…着脱機構、６…紙幣搬送機構、７…紙幣送り出し機構、８…ゲート開閉機構、９…把手、１０…移動規制片、１０ａ…紙幣非収納位置側端部、１０ｂ…紙幣満杯位置側端部、１１…スプリング係止ピン、１２…滑車、１３…押え部材、１４…フラッパ、１４Ａ…ローラ、１５…引張スプリング、１６…スプリング係止ピン、１８，１９…係止部材、１９ａ…基部、１９ｂ…係止部、２０…スライド部材、２１…係止孔、２１ａ…丸孔部、２１ｂ…長孔部、２２…引張スプリング、２３…第１搬送ローラ、２３Ａ，２３Ｂ…ローラ、２４…第２搬送ローラ、２４Ａ…分離ローラ、２４Ｂ…停止ローラ、２５…第３搬送ローラ、２６，２７…駆動モータ、２８…リンク機構、２８Ａ，２８Ｂ…リンク、２９…リンク機構、２９Ａ，２９Ｂ…リンク、３０…スライダ３０Ａ，３０Ｂ…紙幣送り出し部材、３０ａ…長孔、３１…フレーム、３１ａ…長孔、３２…駆動モータ、３３…第４駆動力伝達機構、３４，３５…枢支ピン、３６…移動ピン、３７…枢支ピン、３８…折曲部、３８ａ…移動ピン、３９，４０…枢支ピン、４１…延在部、４１Ａ…長孔、４２…平歯車、４２ａ…偏心ピン、５１…指針部材、５２…当接面、５２ａ，５２ｂ…傾斜面、ａ…紙幣満杯位置、ｂ…紙幣非収納位置、Ｓ…紙幣
【図１】
2006039949.tif 000003
【図２】
2006039949.tif 000004
【図３】
2006039949.tif 000005
【図４】
2006039949.tif 000006
【図５】
2006039949.tif 000007
【図６】
2006039949.tif 000008
【図７】
2006039949.tif 000009
【図８】
2006039949.tif 000010
【図９】
2006039949.tif 000011
【図１０】
2006039949.tif 000012
【図１１】
2006039949.tif 000013
【図１２】
2006039949.tif 000014